(57)【要約】【課題】  排気ボタンまわりを通じて時計外装組立の内圧が高まり難いとともに、ガス抜き操作に伴って外部から時計外装組立内に水が浸入し難い携帯時計を提供する。【解決手段】  腕時計1は、時計外装組立2、排気ボタン31、コイルばね45、及びシール材41,42を具備する。外装組立2にその内外を連通して設けたパイプ23は、シール面24,25及び逃げ部26,27を有する。ボタン31は、外装組立2の内側からパイプの縁部23bに引掛かる抜け止め32aを有してパイプ23に挿入された軸部32、及び外装組立2の外部から押込み操作されるボタン部33を備える。ボタン31を反押込み方向に付勢するばね45をボタン部33と時計外装組立2との間に挟設する。シール面24,25に対応して軸部32に取付けられたシール材41,42が、ボタン31の軸方向往復移動によりシール位置と排気位置とにわたり移動され、かつ、シール面24,25に接触した状態で軸部32の外周及びこの外周に対向する逃げ部27と共に閉空間Ｓを仕切ることを特徴としている。【選択図】図２
2011047894.tif 000002
【特許請求の範囲】
【請求項１】
複数のシール面及び複数の逃げ部を有したボタン取付け孔が設けられ、この取付け孔によって内部と外部が連通された時計外装組立と、
この時計外装組立の内側から前記ボタン取付け孔の縁部に引っ掛かる抜け止めを有して前記ボタン取付け孔に移動可能に挿入された軸部、及びこの軸部に連結されて前記時計外装組立の外部から押し込み操作されるボタン部を備えた排気ボタンと、
前記ボタン部と前記時計外装組立との間に挟設され前記排気ボタンを反押し込み方向に付勢する付勢体と、
前記複数のシール面に対応して前記軸部に複数取付けられ前記排気ボタンの軸方向往復移動により前記シール面に締め代を有して接するシール位置と前記逃げ部に対向する排気位置とにわたって移動されるとともに、前記シール面に接した状態で前記軸部の外周及びこの外周に対向する前記逃げ部と共に閉空間を仕切るシール材と、
を具備することを特徴とする携帯時計。
【請求項２】
前記排気ボタンが押込み操作された状態で、前記軸部の軸方向に隣接したシール材の内で前記時計外装組立の外部側のシール材とこのシール材が接離する方の前記シール面との軸方向第１離間距離が、前記隣接したシール材の内で前記時計外装組立の内部側のシール材とこのシール材が接離する方の前記シール面との軸方向第２離間距離より短いことを特徴とする請求項１に記載の携帯時計。
【請求項３】
前記シール面として、第１のシール面と、この第１のシール面に対して前記時計外装組立の外部側に位置しかつ前記第１のシール面がなす孔部位の孔径より小さい孔径の孔部位をなす第２のシール面を設けるとともに、
前記逃げ部として、前記第１のシール面に対して前記時計外装組立の内部側に位置しかつ前記第１のシール面がなす孔部位の孔径より大きい孔径の孔部位をなす第１の逃げ部と、前記第１のシール面の前記第２のシール面側の部位で兼用された第２の逃げ部を設け、
前記軸部が、前記第１のシール面に対向する第１の軸部位と、この第１の軸部位より小径で前記第２のシール面に対向する第２の軸部位を有しており、
前記シール材として、第１のシール材とこれより小径な第２のシール材を設けるとともに、前記第１のシール材が前記第１の軸部位の周部に装着され、前記第２のシール材が前記第２の軸部位の周部に装着されていることを特徴とする請求項１又は２に記載の携帯時計。
【請求項４】
前記第１の逃げ部は前記第１のシール面に連続する第１のテーパ面を有しているとともに、前記第２の逃げ部は前記第２のシール面に連続する第２のテーパ面を有していることを特徴とする請求項３に記載の携帯時計。
【請求項５】
前記軸部の周面に開放する前記閉空間用の環状溝が、前記軸部の軸方向に隣接したシール材間に形成されていることを特徴とする請求項１から４の内のいずれか一項に記載の携帯時計。
【請求項６】
前記環状溝の前記第２の軸部位側の溝端部に、前記環状溝の溝底から前記第２の軸部位の外周にわたる斜状面が設けられていることを特徴とする請求項５に記載の携帯時計。
【請求項７】
前記ボタン取付け孔が前記時計外装組立に装着されたパイプで形成されており、このパイプの内周に前記シール面及び逃げ部が設けられていることを特徴とする請求項１から６の内のいずれか一項に記載の携帯時計。
【請求項８】
前記ボタン取付け孔に連通して前記時計外装組立に形成された凹部に嵌合される筒状周壁を前記ボタン部が有していて、この筒状周壁に通気部が形成されていることを特徴とする請求項１から７の内のいずれか一項に記載の携帯時計。
【請求項９】
前記ボタン部が、前記凹部の開口の周りを覆ってこの開口の周りとの間に排気用の隙間を形成する開口カバー部を有していることを特徴とする請求項８に記載の携帯時計。
【発明の詳細な説明】
【技術分野】
【０００１】
本発明は、例えば飽和潜水用ダイバーズウォッチ等のように時計外装組立の内圧が高まる可能性がある携帯時計に関する。
【背景技術】
【０００２】
時計外装ケースの内圧が外圧より高くなった場合に対処するために、このケースに設けた排気弁のボタンを人為的に押すことにより、時計外装ケースの内部の気体をこのケースの外側に強制排出できる飽和潜水用のダイバーズウォッチが知られている（例えば、特許文献１参照。）。
【０００３】
このダイバーズウォッチが備える排気弁は、時計外装ケースの胴に形成された段付き孔と、ボタンと、止め輪と、コイルばねと、パッキンを有している。
【０００４】
段付き孔の小径孔部は胴の内側に開放され、段付き孔の大径孔部は胴の外側に開放されている。ボタンは、大径孔部に嵌合する操作部と、小径孔部を貫通する軸部を有している。段付き孔からのボタンの抜け止めをする止め輪は時計外装ケースの内部で軸部に連結されている。コイルばねは、軸部を巻装して大径孔部に収容されていて、ボタンを胴の外側方向に付勢している。パッキンは軸部に固定されている。このパッキンは、ボタンが押し込まれない通常の状態で、小径孔部又はこの孔部に装着されたパイプの内面に接して締代を有し、ボタンが押し込まれた状態で胴の内部に配置されて締代を有しないように構成されている。
【０００５】
このため、ボタンが押し込み操作されると同時にパッキンが段付き孔の小径孔部から外れるように移動されて、段付き孔を介して胴の内外が連通されるに伴い、時計外装ケースの内部の気体をこのケースの外部に段付き孔を通じて排出できる。
【先行技術文献】
【特許文献】
【０００６】
【特許文献１】特開平５−１７２９５６号公報
【発明の概要】
【発明が解決しようとする課題】
【０００７】
特許文献１のダイバーズウォッチのパッキンは、時計外装ケースの外部から内部に侵入しようとする外気の圧力で圧縮されないので、飽和潜水においてパッキンの気密性能が高まることはない。このため、飽和潜水で使用されるヘリウムガスが、パッキンを透過して時計外装ケース内に侵入する可能性が高く、このケースの内圧が高まり易い。
【０００８】
更に、飽和潜水後に排気弁を操作する状況では、段付き孔の大径孔部に水が溜まっている可能性があるとともに、潜水者の濡れた手に付着した水分が大径孔部に浸入することがある。更に、雨天下での排気弁の押し込み操作では雨水が大径孔部に浸入することがある。こうした状況下で排気操作を行った場合、排気完了直後であってパッキンが締代を有していない状態において、大径孔部内の水が時計外装ケース内に浸入する恐れが考えられる。
【０００９】
以上のように従来技術は、排気弁を通って時計外装ケース内に外部からガスが透過し易いとともに、ガス抜き操作の完了に伴って外部から水が浸入する恐れがある、という課題がある。
【課題を解決するための手段】
【００１０】
前記課題を解決するために、本発明は、複数のシール面及び複数の逃げ部を有したボタン取付け孔が設けられ、この取付け孔によって内部と外部が連通された時計外装組立と、この時計外装組立の内側から前記ボタン取付け孔の縁部に引っ掛かる抜け止めを有して前記ボタン取付け孔に移動可能に挿入された軸部、及びこの軸部に連結されて前記時計外装組立の外部から押し込み操作されるボタン部を備えた排気ボタンと、前記ボタン部と前記時計外装組立との間に挟設され前記排気ボタンを反押し込み方向に付勢する付勢体と、前記複数のシール面に対応して前記軸部に複数取付けられ前記排気ボタンの軸方向往復移動により前記シール面に締め代を有して接するシール位置と前記逃げ部に対向する排気位置とにわたって移動されるとともに、前記シール面に接した状態で前記軸部の外周及びこの外周に対向する前記逃げ部と共に閉空間を仕切るシール材と、を具備することを特徴としている。
【００１１】
本発明において、複数のシール面がなす孔部位の径は同じであっても異なっていてもよいとともに、複数の逃げ面がなす孔部位の径も同じでも異なっていてもよい。本発明において、ボタン取付け孔は、時計外装組立に装着されたパイプで形成することが好ましいが、これに代えて時計外装組立の胴等に直接孔開けして、その孔をボタン取付け孔として用いることも可能である。本発明において、排気ボタンの抜け止めは、軸部と一体に形成することが好ましいが、軸部とは別体で軸部に取付けられたものであっても良い。本発明で、付勢体は、コイルばねを好適に用いることができるが、板ばね等であってもよく、又、この付勢体の付勢力は、ダイバーズウォッチの場合、飽和潜水圧等の指定水圧と同じに設定される。本発明で、シール材が「締め代を有する」とは、シール材がシール面に接して自由状態よりも縮径されてシール面に密接した状態を指している。
【００１２】
本発明の携帯時計の通常の状態では、付勢体による付勢で、排気ボタンの抜け止めがボタン取付け孔の縁部に引っ掛かった状態に排気ボタンが保持されているとともに、複数のシール材が夫々締め代を有してシール位置に配置されている。この状態では、シール材によるシール箇所が、排気ボタンの軸方向に複数個所形成されていて、軸方向に隣接したシール材間に閉空間が形成されている。そのため、飽和潜水で使用されるヘリウムガス等のシール材透過性ガスが各シール材を透過する状況において、時計外装組立の外部から内部への圧力勾配が段階的に低下するので、時計外装組立内へのガスの透過を緩和できる。
【００１３】
使用者が排気ボタンを押込み操作することに伴う強制ガス抜きが完了した直後に、シール材が排気位置からシール位置まで移動するように排気ボタンが付勢体の付勢力で移動される際、ボタン取付け孔に時計外装組立外の水が浸入することがあっても、複数のシール材が堤防となるとともに、ボタン取付け孔に入り込んだ水を閉空間に溜めることができる。なお、閉空間に溜められた水は、強制排気時に、時計外装組立の内部から外部へ排気されるガスの流れによって押し出される。
【００１４】
本発明の携帯時計の好ましい形態では、前記排気ボタンが押込み操作された状態で、前記軸部の軸方向に隣接したシール材の内で前記時計外装組立の外部側のシール材とこのシール材が接離する方の前記シール面との軸方向第１離間距離が、前記隣接したシール材の内で前記時計外装組立の内部側のシール材とこのシール材が接離する方の前記シール面との軸方向第２離間距離より短いことを特徴としている。
【００１５】
この発明の形態では、ガス抜きをする場合、前記軸方向第１離間距離と軸方向第２離間距離の差により、まず、時計外装組立の内部に対して近い方のシール材が、シール位置から排気位置に達し、この後、時計外装組立の内部に対して遠い方のシール材が、シール位置から排気位置に達して、この時点から時計外装組立の外部にガスが排出される。この逆に、排気ボタンが付勢体で押し戻されて通常の状態に戻される場合、まず、時計外装組立の内部に対して遠い方のシール材が、排気位置からシール位置に達し、この後、時計外装組立の内部に対して近い方のシール材が、排気位置からシール位置に達する。このように複数のシール材によるシールが時間差をもって形成される。これにより、付勢体で排気ボタンが適正な押込みストロークと同距離押し戻される途中の段階で、時計外装組立の内部に対して遠い方のシール材によって排気ボタンまわりをシールすることができる。
【００１６】
本発明の携帯時計の好ましい形態では、前記シール面として、第１のシール面と、この第１のシール面に対して前記時計外装組立の外部側に位置しかつ前記第１のシール面がなす孔部位の孔径より小さい孔径の孔部位をなす第２のシール面を設けるとともに、前記逃げ部として、前記第１のシール面に対して前記時計外装組立の内部側に位置しかつ前記第１のシール面がなす孔部位の孔径より大きい孔径の孔部位をなす第１の逃げ部と、前記第１のシール面の前記第２のシール面側の部位で兼用された第２の逃げ部を設け、前記軸部が、前記第１のシール面に対向する第１の軸部位と、この第１の軸部位より小径で前記第２のシール面に対向する第２の軸部位を有しており、前記シール材として、第１のシール材とこれより小径な第２のシール材を設けるとともに、前記第１のシール材が前記第１の軸部位の周部に装着され、前記第２のシール材が前記第２の軸部位の周部に装着されていることを特徴としている。
【００１７】
この発明の形態では、３個以上のシール材及びこれらに対応した数のシール面並びに逃げ部を設けていないので、排気ボタンが取付けられるボタン取付け孔の軸長が最小となるに伴い、時計外装組立の大形化を抑制しつつ、本発明の目的を達成できる。しかも、第２のシール面は、第１のシール面よりも時計外装組立の外部側に設けられていてボタン取付け孔への水の浸入口となる。しかし、この第２のシール面がなした孔部位の孔径は、ボタン取付け孔の中で最小であるので、ガス抜き終了に伴う水の浸入をより困難にできる利点がある。
【００１８】
本発明の携帯時計の好ましい形態では、前記第１の逃げ部は前記第１のシール面に連続する第１のテーパ面を有しているとともに、前記第２の逃げ部は前記第２のシール面に連続する第２のテーパ面を有していることを特徴としている。
【００１９】
この発明の形態では、時計外装組立に第１、第２のシール面及び第１、第２の逃げ部を加工するに際して、それらがなす孔部位の孔径の差に従い、小さい孔部位から順次大きい孔部位を切削等により容易に加工できるとともに、テーパ面によるガイド作用でシール材の締め代を円滑に形成できる。
【００２０】
本発明の携帯時計の好ましい形態では、前記軸部の周面に開放する前記閉空間用の環状溝が、前記軸部の軸方向に隣接したシール材間に形成されていることを特徴としている。
【００２１】
この発明の形態では、環状溝によって閉空間の容積を大きくできるので、ガス抜き終了に伴う外部からの水の浸入量が多い場合でも、それを閉空間に溜めて時計外装組立の内部への浸水がより困難になる利点がある。
【００２２】
本発明の携帯時計の好ましい形態では、前記環状溝の前記第２の軸部位側の溝端部に、前記環状溝の溝底から前記第２の軸部位の外周にわたる斜状面が設けられていることを特徴としている。
【００２３】
この発明の形態では、環状溝に溜められた水を、この環状溝の斜状面をガイドとしてガス排出時に排出される気体により環状溝外に円滑に押し出せる利点がある。
【００２４】
本発明の携帯時計の好ましい形態では、前記ボタン取付け孔が前記時計外装組立に装着されたパイプで形成されており、このパイプの内周に前記シール面及び逃げ部が設けられていることを特徴としている。
【００２５】
この発明の形態では、パイプが単独の状態で、その内周にシール面及び逃げ部を加工できるので、時計外装組立の胴等に直接孔開けしてボタン取付け孔を設ける場合に比較して、加工性がよい、という利点がある。
【００２６】
本発明の携帯時計の好ましい形態では、前記ボタン取付け孔に連通して前記時計外装組立に形成された凹部に嵌合される筒状周壁を前記ボタン部が有していて、この筒状周壁に通気部が形成されていることを特徴としている。
【００２７】
この発明の形態では、排気ボタンが有した筒状周壁が時計外装組立の凹部の底に当たる適正深さまで、使用者により排気ボタンが押込まれて開始されるガス抜き状態で、ボタン取付け孔に連通した筒状周壁の内側空間と、この筒状周壁の外周と凹部の内周との間の嵌合間隙とを、筒状周壁の通気部で連通させることができる。したがって、時計外装組立の凹部の底に筒状周壁が当接されるにも拘らず、ガス抜き経路が途切れることがなく、確実に時計外装組立の内部のガスを抜くことができる。
【００２８】
本発明の携帯時計の好ましい形態では、前記ボタン部が、前記凹部の開口の周りを覆ってこの開口の周りとの間に排気用の隙間を形成する開口カバー部を有していることを特徴としている。
【００２９】
この発明の形態では、ガス抜き時に、凹部の内周に沿ってその開口を通り抜けたガスを、この開口の周りの隙間に通して、排気ボタンの軸方向と直交する方向に放出させるので、排気されるガス圧がボタン部を押している使用者の手指に作用することを抑制できる利点がある。
【発明の効果】
【００３０】
本発明によれば、排気ボタンまわりを通じて時計外装組立の内部にガスが透過することを緩和できるとともに、ガス抜き操作の完了作に伴って外部から時計外装組立内に水が浸入し難い携帯時計を提供できる、という効果がある。
【図面の簡単な説明】
【００３１】
【図１】本発明の第１の実施の形態に係る腕時計を示す平面図である。
【図２】第１実施形態の腕時計をそのガス抜き弁がガス抜き前の状態において図１中Ｆ−Ｆ線に沿って示す断面図である。
【図３】第１実施形態の腕時計をそのガス抜き弁が押込み途中の状態において図１中Ｆ−Ｆ線に沿って示す断面図である。
【図４】第１実施形態の腕時計をそのガス抜き弁がガス抜き完了状態において図１中Ｆ−Ｆ線に沿って示す断面図である。
【図５】本発明の第２の実施の形態に係る腕時計をそのガス抜き弁がガス抜き完了状態において示す断面図である。
【発明を実施するための形態】
【００３２】
以下、図１〜図４を参照して本発明の第１の実施の形態について、詳細に説明する。
【００３３】
図１〜図４中符号１は携帯時計、例えば飽和潜水での使用にも適するダイバーズウォッチ等の腕時計を示している。この腕時計１は、時計外装組立２と、排気ボタン３１と、複数例えば２個のシール材４１，４２と、付勢体例えばコイルばね４５を具備している。時計外装組立２の後述するボタン取付け孔をなすパイプ２３と、排気ボタン３１と、シール材４１，４２と、コイルばね４５は、時計外装組立２の内圧を減じるためのガス抜き弁９を構成している。
【００３４】
時計外装組立２には、図２〜図４に示すように時刻表示板３及びムーブメント４が内蔵されているとともに、図１に示すように時計外装組立２の周部に竜頭５が取付けられている。
【００３５】
時計外装組立２は、胴部１１ａと裏蓋部１１ｂとが一体に形成された金属製の外装部材１１と、ガラス支持部材１３と、カバーガラス１５を備えている。ガラス支持部材１３は、リング形状をなしていて、胴部１１ａにその正面側から螺合して固定されている。カバーガラス１５は、ガラス支持部材１３の内側に液密に装着されていて、その裏面は時刻表示板３に対向している。
【００３６】
なお、外装部材１１に代えて、胴部１１ａに相当する胴に、これとは別体で裏蓋部１１ｂに相当する裏蓋を螺合した構成を備えた時計外装組立２を用いることもできる。更に、ガラス支持部材１３の外周に沿って回転操作可能なリング形の回転ベゼル６が時計外装組立２に取付けられている。回転ベゼル６は、その裏面に周方向に沿って一定間隔毎に設けられた係合溝６ａ（一個のみ図示）に係止ばね７の図示しない係止片が係合されることにより、任意の回転位置に静止した状態を保持されるようになっている。
【００３７】
図２〜図４に示すように時計外装組立２の例えば胴部１１ａに凹部２０とこれに連続したパイプ通孔２１が設けられている。凹部２０は、円形穴であり、時計外装組立２の外面例えば胴部１１ａの外面に開放されている。パイプ通孔２１は凹部２０より小径な丸孔である。このパイプ通孔２１の一端は時計外装組立２の内部２ａに開放され、かつ、他端は凹部２０に開放されている。
【００３８】
パイプ通孔２１に金属の丸い直管からなるパイプ２３が挿通されていて、このパイプ２３は胴部１１ａにろう材２２によりろう付けされている。パイプ２３はその一端部に外周から一体に突出したフランジ部２３ａを有している。このフランジ部２３ａは凹部２０の底面を覆っている。パイプ２３の他端部は、例えば時計外装組立２の内部２ａに突出されていて、ボタン取付け孔の縁部２３ｂをなしている。
【００３９】
以上のようにパイプ２３を時計外装組立２に装着してボタン取付け孔を設けたので、このパイプ２３が単独の状態で、その内周に後述するシール面及び逃げ部を加工できる。そのため、時計外装組立２の胴部１１ａ等に直接孔開けしてボタン取付け孔を設ける場合に比較して、加工性がよい。
【００４０】
パイプ２３は、その内周に複数のシール面とこれらに連続する複数の逃げ部を有している。すなわち、本実施形態では、第１のシール面２４と第２のシール面２５が、パイプ２３の内周にこのパイプ２３の軸方向に互いに離れて設けられているとともに、第１の逃げ部２６と第２の逃げ部２７が、パイプ２３の内周にこのパイプ２３の軸方向に互いに離れて設けられている。
【００４１】
第２のシール面２５はパイプ２３の一端部内周に形成され、第１の逃げ部２６はパイプ２３の他端部内周に形成されている。第１のシール面２４と第２の逃げ部２７とは兼用されている。つまり、第２の逃げ部２７は第１のシール面２４の第２のシール面２５側の部位で形成されている。そのため、第２の逃げ部２７を兼ねた第１のシール面２４は、第２のシール面２５と第１の逃げ部２６との間に位置してパイプ２３の内周に形成されている。したがって、第１のシール面２４、第１の逃げ部２６及び第２のシール面２５、第２の逃げ部２７は、この記載順にパイプ２３の軸方向に交互に並べて設けられている。
【００４２】
第２のシール面２５及び第１の逃げ部２６がなす孔部位の孔径は第１のシール面２４がなす孔部位の孔径より小さい。第１の逃げ部２６は第１のシール面２４に連続する第１のテーパ面２８を有している。そのため、第１のシール面２４に対して時計外装組立２の内部２ａ側に連続した第１の逃げ部２６がなす孔部位の孔径は、第１のシール面２４がなす孔部位の孔径より大きい。第１の逃げ部２６がなす孔部位は時計外装組立２の内部２ａに開放されている。
【００４３】
同様に、第２の逃げ部２７は第２のシール面２５に連続する第２のテーパ面２９を有している。そのため、第２のシール面２５に対して時計外装組立２の内部２ａ側に連続した第２の逃げ部２７がなす孔部位の孔径は、第２のシール面２５がなす孔部位の孔径より大きい。
【００４４】
以上のように第１の逃げ部２６と第１のシール面２４とが第１のテーパ面２８を介して連続されているとともに、第２の逃げ部２７と第２のシール面２５とが第２のテーパ面２９を介して連続されているので、パイプ２３の内径は、パイプ２３の胴外（時計外装組立２の外部）側の一端から胴内側(内部２ａ側)に向けて段階的に大きく形成されている。
【００４５】
こうした孔径の差に従い、時計外装組立２のパイプ２３に第１のシール面２４、第１の逃げ部２６及び第２のシール面２５、第２の逃げ部２７を加工する際、小さい孔径から順次大きい孔径を切削等により加工できる。したがって、ボタン取付け孔をなすパイプ２３の加工性が良い点で好ましい。
【００４６】
更に、後述の排気ボタン３１がコイルばね４５で胴外側に向けて押し戻される場合に、その移動が円滑である利点がある。つまり、排気ボタン３１が押し戻されるに伴い、後述の第１のシール材４１が第１のシール面２４がなす孔部位に入り込む際に引っ掛かることを、第１のテーパ面２８で抑制できる。これとともに、この第１のテーパ面２８をガイドとして第１のシール材４１を、締め代を有した状態に円滑に弾性変形させて第１のシール面２４がなす孔部位に挿入させることができる。
【００４７】
同様に、排気ボタン３１が胴外側に向けて押し戻されるに伴い、後述の第２のシール材４２が第２のシール面２５がなす孔部位に入り込む際に引っ掛かることを、第２のテーパ面２９で抑制できる。これとともに、この第２のテーパ面２９をガイドとして第２のシール材４２を、締め代を有した状態に円滑に弾性変形させて第２のシール面２５がなす孔部位に挿入させることができる。
【００４８】
排気ボタン３１は軸部３２とこれに連結されたボタン部３３を備えている。
【００４９】
軸部３２の外周は円形であり、この軸部３２は、時計外装組立２の内部２ａからパイプ２３に挿入されている。軸部３２は、パイプ２３の軸方向に移動可能であり、その時計外装組立２の内部２ａ側の端部に抜け止め３２ａを有している。抜け止め３２ａは前記端部の外周に一体に突設されていて、前記縁部２３ｂに接離可能であり、その接触、つまり、引っ掛かりによりそれ以上排気ボタン３１がパイプ２３から時計外装組立２の外側に移動して抜けることが防止されている。
【００５０】
ボタン部３３は、前記凹部２０に嵌合される大きさの筒状周壁３３ａを有している。このボタン部３３の裏面中央部にはねじ部が一体に突設されていて、このねじ部に軸部３２が螺合されることにより、排気ボタン３１が組立てられている。なお、この組立を可能とするために軸部３２の時計外装組立２の内部２ａ側の端部とボタン部３３の夫々に、軸部３２及びボタン部３３を回転操作する工具（図示しない）が係合される溝が形成されている。
【００５１】
筒状周壁３３ａにこの筒状周壁３３ａの内部と外部とを連通する通気部３４が形成されている。通気部３４は筒状周壁３３ａの周方向に間隔的に複数設けられている。これらの通気部３４は、例えば凹部２０の底に指向する筒状周壁３３ａの周部端面に開放して設けられている。筒状周壁３３ａの周部端面は、ボタン部３３が押込み操作されることによって、凹部２０の実質的な底をなしたフランジ部２３ａに当接可能である。この当接により排気ボタン３１の押込み深さが適正に規定されるようになっている。
【００５２】
軸部３２は、第１の軸部位３５と、第２の軸部位３６と、環状溝３７を有している。第１の軸部位３５は軸部３２の抜け止め３２ａ側の軸部位で形成されている。第２の軸部位３６は軸部３２のボタン部３３側の軸部位で形成されている。環状溝３７は、第１の軸部位３５と第２の軸部位３６との間の軸部位にその外周に開放して形成されている。
【００５３】
第１の軸部位３５の直径は、第１のシール面２４がなす孔部位に嵌合される大きさであるとともに、第１の逃げ部２６がなす孔部位の孔径より小さい。第２の軸部位３６の直径は第１の軸部位３５の直径より小さい。更に、この第２の軸部位３６の直径は、第２のシール面２５がなす孔部位に嵌合される大きさであるとともに、第２の逃げ部２７を兼ねた第１のシール面２４がなす孔部位の孔径より小さい。
【００５４】
シール材４１，４２は合成ゴムやエラストマ等の弾性材料でリング形に形成されている。シール材４１，４２の内の一方からなる第１のシール材４１は、第１の軸部位３５の周部に形成された環状シール溝に嵌合して装着されている。この第１のシール材４１の自由状態での外周径は、第１のシール面２４がなす孔部位の孔径より大きく、かつ、第１の逃げ部２６がなす孔部位の孔径より小さい。シール材４１，４２の内の他方からなる第２のシール材４２は、第２の軸部位３６の周部に形成された環状シール溝に嵌合して装着されている。第２のシール材４２は第１のシール材４１より小径である。更に、この第２のシール材４２の自由状態での外周径は、第２のシール面２５がなす孔部位の孔径より大きく、かつ、第２の逃げ部２７を兼ねた第１のシール面２４がなす孔部位の孔径より小さい。
【００５５】
コイルばね４５は、ボタン部３３と時計外装組立２（具体的には凹部２０の底をなしたパイプ２２のフランジ部２３）との間に圧縮状態に挟設されている。排気ボタン３１は、コイルばね４５の付勢力により、反押し込み方向、つまり、時計外装組立２の外部側に付勢されている。この付勢により、図２に示すように排気ボタン３１は、その抜け止め３２ａがパイプ２３の縁部２３ｂに引っ掛かった状態に保持されているとともに、ボタン部３３がその筒状周壁３３ａの周部端面側部位を残して凹部２０の開口より外に突出された状態に保持される。このコイルばね４５は飽和潜水の指定圧力に相当するばね力（付勢力）を有している。
【００５６】
図２に示した腕時計１の通常の状態では、排気ボタン３１の軸方向に隣接したシール材４１，４２の内で、相対的に時計外装組立２の内部寄りに配置されている第１のシール材４１が、弾性変形をした状態、つまり、締め代を有した状態で第１のシール面２４に摺動可能に密接されている。これとともに、排気ボタン３１の軸方向に隣接したシール材４１，４２の内で、相対的に時計外装組立２の外部寄りに配置されている第２のシール材４２が、弾性変形をした状態、つまり、締め代を有した状態で第２のシール面２５に摺動可能に密接されている。
【００５７】
このように第１のシール材４１と第２のシール材４２が、締め代を有した状態に配置されていることを、ここではシール位置に配置されていると称する。シール位置に配置された状態の第１のシール材４１と第２のシール材４２は、これらの間の軸部３２の外周と、この外周に対向した第２の逃げ部２７とともに閉空間Ｓを仕切っている。この閉空間Ｓには環状溝３７が対向しており、それにより、環状溝３７を含んで閉空間Ｓが形成されている。
【００５８】
更に、図２に示すように排気ボタン３１の適正な押込みストロークをＬ１とした場合、シール位置に配置された第１のシール材４１は、第１のシール面２４の第１の逃げ部２６側の端を基準にボタン部３３側に１/２ストローク未満の距離Ｌ２内に位置して、第１のシール面２４に密接されている。同様に、シール位置に配置された第２のシール材４２は、第２のシール面２５の第２の逃げ部２７側の端を基準にボタン部３３側に１/２ストローク以上１ストローク未満の距離Ｌ３内に位置して、第２のシール面２５に密接されている。
【００５９】
腕時計１が携帯される状態では、既述のように第１のシール材４１と第２のシール材４２が夫々締め代を有した状態でシール位置に配置されている。そのため、これらシール材によるシール箇所が、排気ボタン３１の軸方向に複数個所(２箇所)形成されているとともに、排気ボタン３１の軸方向に隣接したシール箇所間に閉空間Ｓが形成されている。
【００６０】
飽和潜水において、水中の居住区で使用されるヘリウムガス等のシール材透過性ガスは、カバーガラス１５まわりのシール材、及び排気ボタン３１まわりのシール材を透過するので、時計外装組立２の内部のガス圧が高められる。
【００６１】
この場合、排気ボタン３１まわりについては、この排気ボタン３１の軸方向に間隔を置いて設けられた第１のシール材４１と第２のシール材４２で夫々シールされているので、時計外装組立２の外部から内部への圧力勾配が段階的に低下する。つまり、凹部２０内のガス圧が水中の居住区のガス圧に等しく最も高く、第１のシール材４１と第２のシール材４２で仕切られた閉空間Ｓの圧力が次に高く、時計外装組立２の内部２ａ内の圧力が最も低くなる。
【００６２】
そのため、凹部２０と閉空間Ｓとのガス圧の差が小さいことにより、ヘリウムガスが第２のシール材４２を透過することが緩和される。同様に、閉空間Ｓと時計外装組立２の内部２ａとのガス圧の差が小さいことにより、ヘリウムガスが第１のシール材４１を透過することが緩和される。このように排気ボタン３１まわりを経由するガスの透過が緩和されるので、時計外装組立２の内圧の高まりを抑制できる。
【００６３】
水中の居住区から使用者が浮上した後に、使用者がガス抜き弁９のコイルばね４５を更に圧縮させながら排気ボタン３１を押込み操作することにより、時計外装組立２の内部２ａのガスが外部に強制排出される。
【００６４】
このガス抜きにおいて、排気ボタン３１が押し込み途上にある状態、例えば、排気ボタン３１が適正に押された場合の排気ボタン３１の適正押込みストロークＬ１の略１／２ストロークだけ排気ボタン３１が押込まれた状態が図３に示されている。
【００６５】
この状態で、時計外装組立２の外部寄りの第２のシール材４２は、未だ締め代を有した第２のシール面２５に密接した状態にあるが、時計外装組立２の内部２ａ寄りの第１のシール材４１は、第１のシール面２４から外れて第１の逃げ部２６に対向した状態にある。したがって、第１のシール材４１は締め代がない自由状態に復元しているとともに、閉空間Ｓが、第１のシール材４１と第１の逃げ部２６との間に形成された隙間に開放されている。このため、この隙間を通して第１のシール材４１と第２のシール材４２との間が時計外装組立２の内部２ａと同圧となる。
【００６６】
図４は、排気ボタン３１が適正な押し込みが完了した状態、つまり、排気ボタン３１が適正な押込みストロークＬ１だけ移動されて、ボタン部３３の筒状周壁３３ａの周部端面が凹部２０の底をなしたフランジ部２３ａに当接された状態を示している。このように排気ボタン３１が適正に押込まれると、第２のシール材４２が第２のシール面２５から外れて第２の逃げ部２７に対向した状態となる。又、この状態でも、第１のシール材４１は第１の逃げ部２６に対向している。
【００６７】
この状態で、時計外装組立２の外部寄りの第２のシール材４２とこれが接離する第２のシール面２５との軸方向第１離間距離Ｌ５は、時計外装組立２の内部２ａ寄りの第１のシール材４１とこれが接離する第１のシール面２４との軸方向第２離間距離Ｌ６より短くなっている。つまり、以上のように第１のシール材４１と第２のシール材４２がともに対応する逃げ部に対向した状態に配置されていることを、ここでは第１のシール材４１と第２のシール材４２が排気位置に配置されていると称する。
【００６８】
こうした配置により、第２のシール材４２は締め代がない自由状態に復元するとともに、この第２のシール材４２と第２の逃げ部２７との間に形成された隙間を通して、第１のシール材４１と第２のシール材４２との間が時計外装組立２の凹部２０に連通される。
【００６９】
以上のように排気ボタン３１の押込みに伴い、まず、時計外装組立２の内部２ａに対して近い方の第１のシール材４１が、そのシール位置から排気位置に達する（図３の状態参照）。この後、時計外装組立２の内部２ａに対して遠い方の第２のシール材４２が、そのシール位置から排気位置に達する（図４の状態参照）。
【００７０】
したがって、この時点から時計外装組立２の内部のガスが、排気ボタン３１のまわりを通って凹部２０に流出し、この凹部２０からボタン部３３の通気部３４を経由し、更にボタン部３３の筒状周壁３３ａの外周と凹部２０の内周との間の嵌合隙間を通って、時計外装組立２の外部に排出される。
【００７１】
この場合、既述のように凹部２０の底に筒状周壁３３ａの先端が当接されるにも拘らず、通気部３４によってガス抜き経路を途切れることなく確保されるので、確実に時計外装組立２の内部２ａのガスを抜くことができる。そして、このガス抜きに伴って、後述のように閉空間Ｓに水が溜まっている場合、その水を時計外装組立２の内部２ａから外部へ排気されるガスの流れによって、閉空間Ｓから押し出すことができる。
【００７２】
以上のようにガス抜きが完了して、排気ボタン３１の押込みが解除されると同時に、コイルばね４５のばね力で排気ボタン３１が時計外装組立２の外部に向けて押し戻されるので、第１のシール材４１及び第２のシール材４２の夫々が、排気位置からシール位置まで移動されて、図２に示した通常の状態に戻される。
【００７３】
このように第１のシール材４１及び第２のシール材４２が排気位置からシール位置まで移動するように排気ボタン３１がコイルばね４５で移動される際、それまでに凹部２０内に入り込んだ水が、ボタン取付け孔をなしたパイプ２３に浸入しようとすることがある。この場合、第１のシール材４１及び第２のシール材４２の夫々が堤防となるので、パイプ２３に入り込んだ水が時計外装組立２の内部２ａに到達し難い。
【００７４】
このとき、第２のシール材４２を乗り越えた水を、形成されつつある閉空間Ｓに溜めることができる。これにより、より確実に時計外装組立２の内部２ａへの水の浸入を抑制できる。しかも、閉空間Ｓの容積はそれに臨んだ環状溝３７によって大きく確保されている。したがって、ガス抜き終了に伴う水の浸入量が多い場合でも、それが閉空間Ｓに溜められるので、第１のシール材４１を乗り越えて時計外装組立２の内部２ａへ浸入することを、より困難にできる。
【００７５】
更に、以上のガス抜きが完了した後に排気ボタン３１がコイルばね４５で押し戻されて通常の状態に戻される場合、軸方向第１離間距離Ｌ５と軸方向第２離間距離Ｌ６の差により、まず、時計外装組立２の内部２ａに対して遠い方の第２のシール材４２が、その排気位置からシール位置に達する。この後、時計外装組立２の内部２ａに対して近い方の第１のシール材４１が、その排気位置からシール位置に達する。
【００７６】
このように複数のシール材４１，４２によるシールが時間差をもって形成される。それにより、排気ボタン３１が前記適正押込みストロークＬ１と同距離だけ押し戻される以前、例えば時計外装組立２の外部への排気ボタン３１の移動開始から早い段階で、時計外装組立２の内部２ａに対して遠い方の第２のシール材４２がシール位置に配置されて締め代を有した状態となる。したがって、この点において時計外装組立２外の水がボタン取付け孔をなすパイプ２３通って時計外装組立２の内部２ａに浸入し難くできる。
【００７７】
又、前記第１実施形態では、３個以上のシール材及びこれに対応した数のシール面並びに逃げ部を設けていないので、排気ボタン３１が取付けられるパイプ２３の軸長が最小となるに伴い、時計外装組立２の大形化を抑制できる。しかも、第２のシール面２５は、第１のシール面２４よりも時計外装組立２の外部側に設けられていてパイプ２３への水の浸入口となるが、この第２のシール面２５がなす孔部位の孔径は、パイプ２３の中で最小であるので、ガス抜き終了に伴う水の浸入がより困難になる。
【００７８】
図５を参照して本発明の第２の実施の形態を説明する。第２実施形態は、以下説明する事項以外は第１実施形態と同じであるので、第１実施形態と同じ構成については第１実施形態と同一符号を付してその説明を省略する。
【００７９】
第２実施形態において、排気ボタン３１の軸部３２に形成された環状溝３７は、この環状溝３７に連続した第２の軸部位３６側の溝端部に斜状面３７ａを有している。斜状面３７ａは、環状溝３７の溝底から環状溝３７に連続した第２の軸部位３６の外周にわたって設けられている。この構成では、環状溝３７が第２の軸部位３６側に、環状溝３７の溝底に対して直角な端面を有さない。そのため、環状溝３７に溜められた水を、ガス排出時に排出されるガスにより斜状面３７ａをガイドとして環状溝３７外に円滑に押し出すことができる。
【００８０】
更に、第２実施形態において、ボタン部３３は開口カバー部３３ｂを有している。開口カバー部３３ｂは凹部２０の開口の周りと対向して例えばフランジ状をなしている。この開口カバー部３３ｂは、排気ボタン３１が適正に押込み操作された状態で、凹部２０の開口の周りを覆ってこの開口の周りとの間に排気用の隙間Ｇを形成するように設けられている。
【００８１】
こうした開口カバー部３３ｂを備えることで、強制ガス抜き時に、凹部２０の内周に沿ってその開口を通り抜けたガスを、この開口の周りの隙間Ｇに通して、排気ボタン３１の軸方向と直交する方向に放出させることができる。このような排気方向の制御により、排気されるガスの圧力がボタン部３３を押している使用者の手指に作用することを抑制できる。
【００８２】
第２実施形態の携帯時計１は、以上説明した事項以外は第１実施形態と同じ構成である。したがって、この第２実施形態でも、第１実施形態で既に説明した理由によって本発明の課題を解決できる。
【符号の説明】
【００８３】
１…腕時計(携帯時計)
２…時計外装組立
２ａ…時計外装組立の内部
９…ガス抜き弁
２０…凹部
２３…パイプ（ボタン取付け孔）
２３ｂ…ボタン取付け孔の縁部
２４…第１のシール面
２５…第２のシール面
２６…第１の逃げ部
２７…第２の逃げ部
２８…第１のテーパ面
２９…第２のテーパ面
３１…排気ボタン
３２…軸部
３２ａ…抜け止め
３３…ボタン部
３３ａ…筒状周壁
３３ｂ…開口カバー部
３４…通気部
３５…第１の軸部位
３６…第２の軸部位
３７…環状溝
３７ａ…斜状面
４１…第１のシール材
４２…第２のシール材
４５…コイルばね（付勢体）
Ｓ…閉空間
Ｌ５…軸方向第１離間距離
Ｌ６…軸方向第２離間距離
Ｇ…排気用の隙間
【図１】
2011047894.tif 000003
【図２】
2011047894.tif 000004
【図３】
2011047894.tif 000005
【図４】
2011047894.tif 000006
【図５】
2011047894.tif 000007